(57)【要約】【課題】係止ホルダー部に組み付け鉄筋を上方から係止して堅牢に固定し、しかも垂直に保持する事が出来、本体とレベル表示板とでレベルの調整並びに微調整も出来、誤差が無く、又、打設後再度確認する事が出来、見え易く、作業者に注意を促す事が出来、錆で天井面が汚れる事の無い床面コンクリートのレベル調整具を開発・調整するものである。【解決手段】本体の上下方向のほぼ中央左右部に、交差した鉄筋の箇所に係止する、係止ホルダーを設け、該係止ホルダーは下部の保持部材と上部の開閉式固定部材とで構成され、且つ、プラスチック等の柔軟部材を使用する事で係止部材の外形寸法に所定の幅を設けて構成した床面コンクリートのレベル調整具から成るものである。【選択図】    図１
2004150223.tif 000002
【特許請求の範囲】
【請求項１】
本体（１）の中央部にレベル表示板（２）と左右二箇所に係止ホルダー（３）（４）を連結して設け、交差した鉄筋（Ｂ１）（Ｂ２）の箇所に本体（１）を係止して、レベル面（Ｆ）を認識、且つ、調整可能なレベル表示板（２）からなるレベル調整具であって、該本体（１）の上下方向のほぼ中央左右部に、交差した鉄筋（Ｂ１）（Ｂ２）の箇所に係止する、係止ホルダー（３）（４）を設けた事を特徴とする床面コンクリートのレベル調整具。
【請求項２】
左右二箇所の係止ホルダー（３）（４）の係止位置がそれぞれ上下方向に所定寸法（Ｘ）程間隔を空けて設け、且つ、左右方向に所定寸法（Ｙ）程間隔を空けて設け、且つ、それぞれの係止ホルダー（３）（４）が下部の保持部材（３ａ）（４ａ）と上部の開閉式固定部材（３ｂ）（４ｂ）とで構成され、且つ、プラスチック等の柔軟部材を使用した三点支持式で係止する事で鉄筋部材（Ｂ１）（Ｂ２）の外形寸法に所定の幅を設けた事を特徴とする特許請求の範囲第１項記載の床面コンクリートのレベル調整具。
【請求項３】
左右二箇所の係止ホルダー（３）（４）の内側横部に連結部材（３ａ’）（４ａ’）を設け、且つ本体下部にも連結部材（１ｅ）を設けて、交差した鉄筋（Ｂ１）（Ｂ２）の箇所に係止した際、双方を連結し、且つ、固定させる様にした事を特徴とする特許請求の範囲第１項記載の床面コンクリートのレベル調整具。
【発明の詳細な説明】
【０００１】
【発明の属する技術分野】
この発明は、床面コンクリートのレベル調整具に関するものである。
【０００２】
【従来の技術】
従来、鉄筋コンクリート建造物の施工において、コンクリート打設時に、スラブ面を所定の位置にて水平面に仕上げる必要があった。
【０００３】
そして、打設前に、床型枠の上面に鉄筋を配筋し、延設部の要所要所に水平器等をもって測定し、印を施したり、スラブ面に所定の高さ寸法のコンクリート固まりを置いたり、又は、所定の高さ寸法の治具を釘等にて固定して突設したりしていた。
【０００４】
しかし、コンクリート打設時に、作業者がコンクリート固まりや、所定の高さ寸法の治具を誤って蹴り飛ばす事があり、見え難い事もあった。更に、係止アームは下方から組み付け鉄筋を係止するものであり、セットし難く、又、この係止アームに係止された箇所の組み付け鉄筋を作業員が踏むと、組み付け鉄筋が撓んで下方に下がり、係止アームの底部に触れる結果、このレベル調整具が傾いたり、破損したりして、用を成さないという欠点があった。
【０００５】
更に、この調整具は、コンクリート内に埋め殺しと成る為、コンクリートを打設し、養生をした後、床型枠を取り外した際、差し込み釘がコンクリートから突出しており、この突出部をカットしていたが、湿気等が出て、天井面が汚れるという欠点もあった。
【０００６】
【発明が解決しようとする課題】
そこで、この発明は、上記の欠点を除去・解決する為、コンクリート打設前に係止ホルダーにより、交差した鉄筋の箇所に本体を係止して、レベル面を認識、且つ、調整可能なレベル表示板からなるレベル調整具であって、係止ホルダー部に組み付け鉄筋を上方から係止して堅牢に固定し、しかも垂直に保持する事が出来、本体とレベル表示板とでレベルの調整並びに微調整も出来、誤差が無く、又、打設後再度確認する事が出来、見え易く、作業者に注意を促す事が出来、錆で天井面が汚れる事の無い床面コンクリートのレベル調整具を開発・調整するものである。
【０００７】
【課題を解決するための手段】
この発明は、係止ホルダーにより、交差した鉄筋の箇所に本体を係止して、レベル面を認識、且つ、調整可能なレベル表示板からなるレベル調整具であって、該本体の上下方向のほぼ中央左右部に、交差した鉄筋の箇所に係止する、係止ホルダーを設け、該係止ホルダーは下部の保持部材と上部の開閉式固定部材とで構成され、且つ、プラスチック等の柔軟部材を使用する事で係止部材の外形寸法に所定の幅を設けて構成した床面コンクリートのレベル調整具から成るものである。
【０００８】
【発明の実施の形態】
そして、この発明の一実施例を図１〜図２に従って詳述すると、本体（１）の中央部にレベル表示板（２）と左右二箇所に係止ホルダー（３）（４）を連結して設け、交差した鉄筋（Ｂ１）（Ｂ２）の箇所に本体（１）を係止して、レベル面（Ｆ）を認識、且つ、調整可能なレベル表示板（２）からなるレベル調整具であって、該本体（１）の上下方向のほぼ中央左右部に、交差した鉄筋（Ｂ１）（Ｂ２）の箇所に係止する、係止ホルダー（３）（４）を設けた事を特徴とする床面コンクリートのレベル調整具から構成される。
【０００９】
又、上記左右二箇所の係止ホルダー（３）（４）の係止位置がそれぞれ上下方向に所定寸法（Ｘ）間隔を空けて設け、且つ、左右方向に所定寸法（Ｙ）間隔を空けて設け、且つ、それぞれの係止ホルダーが下部の保持部材（３ａ）（４ａ）と上部の開閉式固定部材（３ｂ）（４ｂ）とで構成され、且つ、プラスチック等の柔軟部材を使用した三点支持式で係止する事で鉄筋部材（Ｂ１）（Ｂ２）の外形寸法に所定の幅を設けた事を特徴とする特許請求の範囲第１項記載の床面コンクリートのレベル調整具から成るものである。
【００１０】
又、この発明に使用する係止ホルダー（３）（４）は、鉄筋部材（Ｂ１）（Ｂ２）の外形寸法がφ１０ｍｍ〜φ１６ｍｍまでのいずれも使用可能である。
【００１１】
又、  左右二箇所の係止ホルダー（３）（４）の内側横部に連結部材（３ａ’）（４ａ’）を設け、且つ下部にも連結部材（１ｅ）を設けて、交差した鉄筋（Ｂ１）（Ｂ２）の箇所に係止した際、双方を連結し、且つ、固定させる様にした事を特徴とする特許請求の範囲第１項記載の床面コンクリートのレベル調整具。
【００１２】
次に、この発明の使用方法を図３〜図４に従って説明すると、コンクリート打設前に、係止ホルダー（３）（４）の係止角度が直角（９０度）に成る様に本体（１）の下部連結部（１ａ）を図４（Ｂ）の如く折り曲げ形成し、係止ホルダー（３）（４）には、水平方向に交差した鉄筋（Ｂ１）（Ｂ２）を係止するが、係止する際係止ホルダー上部の開閉式固定部材（３ｂ）（４ｂ）のノブ部（３ｂ’）（４ｂ’）を持って鍵部（３ｃ）（４ｃ）を外し、それぞれ上向きに開いて、下部鉄筋（Ｂ２）を敷設した後に、上部鉄筋（Ｂ１）を敷設し、最後に開閉式固定部材（３ｂ）（４ｂ）を元の状態に閉じ鍵部（３ｃ）（４ｃ）を固定する。
【００１３】
次に、上部連結部材（３ａ’）（４ａ’）同士を引っ掛けて連結させ、更に下部の連結部材（１ｅ）の中央部と先端部の穴を本体の固定部材（１ｃ）（１ｄ）に嵌挿させて固定する。
【００１４】
上記の要領で所定の箇所に数個所のレベル調整具を係止したら、今度はコンクリートの厚みの高さレベルに合わせる為に、それぞれのレベル表示板（２）のハンドル部（２ａ）を右又は左方向に回転させて表示板の合せ面（Ｆ）がコンクリートの高さレベル（Ｈ）に成る様に調整する。
【００１５】
そして、レベル調整が終わり、コンクリートを打設し、有る程度時間が経過しコンクリートが固まらない内にレベル表示板（２）のハンドル部（２ａ）を下方向に押さえてコンクリート内部に収納し見えないようにする。
【００１６】
尚、レベル調整用のハンドル部（２ａ）は、コンクリート打設時にレベル調整具の取り付け位置を明示する為に必要であり、コンクリート打設が完了し、ある程度固まるまで折り曲げないでそのままの状態にしておく。
【００１７】
【発明の効果】
この発明によると、レベル調整具を交差した鉄筋（Ｂ１）（Ｂ２）の箇所に係止サポート（３）（４）で係止し、上下連結部材（３ａ’）（４ａ’）（１ｅ）で固定し、且つ、レベル表示板（２）を規定のコンクリート高さレベル（Ｈ）に調整することで、コンクリートを流し込む際、打ち込み深さを判断する目安となる。
【００１８】
又、レベル調整具を交差した鉄筋（Ｂ１）（Ｂ２）の箇所に係止サポート（３）（４）で係止し、上下連結部材（３ａ’）（４ａ’）（１ｅ）で固定する事で、コンクリート打設時、ホース等を引っ掛けてレベル表示板（２）を倒したり、毀したりする心配が解消される。
【００１９】
更に、係止サポート（３）（４）をプラスチック等の柔軟部材を使用した三点支持式で係止する事で鉄筋部材（Ｂ１）（Ｂ２）の外形寸法に所定の幅を設ける事を可能にした。
【００２０】
又、このレベル調整具をプラスチック等の樹脂材を使用して形成する事で、コンクリート打設後、腐食等により天井面が汚れる等の心配が解消され、防錆効果に優れる等極めて有益な効果を奏するものである。
【図面の簡単な説明】
【図１】この発明の一実施例を示し、（Ａ）は平面図で、（Ｂ）は一部欠截正面図である。
【図２】この発明の一実施例を示し、（Ａ）は左側面図で、（Ｂ）は右側面図である。
【図３】この発明の使用状態図を示し、（Ａ）は平面図で、（Ｂ）は正面図である。
【図４】この発明の使用状態図を示し、（Ａ）は図３（Ｂ）のａ−ａ矢視図で、（Ｂ）はｂ−ｂ矢視図で、（Ｃ）はｃ−ｃ矢視図である。
【符号の説明】
１  本体
１ａ  本体の下部連結部
１ｂ  調整ネジ（オネジ）部
１ｃ  固定部材
１ｄ  固定部材
１ｅ  連結部材
２  レベル表示板
２ａ  ハンドル
２ｂ  調整ネジ（メネジ）部
３  係止ホルダー
３ａ  保持部材
３ａ’  連結部材
３ｂ  開閉式固定部材
３ｂ’  ノブ
３ｃ  鍵部
４  係止ホルダー
４ａ  保持部材
４ａ’  連結部材
４ｂ  開閉式固定部材
４ｂ’  ノブ
４ｃ  鍵部
Ｂ１  大径鉄筋材
Ｂ２  小径鉄筋材
Ｘ  上下所定寸法間隔
Ｙ  左右所定寸法間隔
Ｈ  鉄筋材とレベル面間高さ寸法
Ｆ  レベル面
【図１】
2004150223.tif 000003
【図２】
2004150223.tif 000004
【図３】
2004150223.tif 000005
【図４】
2004150223.tif 000006